(57)【要約】【課題】  消臭や殺菌、抗酸化等の機能性が注目されている白金族金属コロイド水溶液の注入速度や注入量を調整することで、霧化された微細水滴中の白金族金属微粒子量を調整して、居室や事務所、病室などの空間に適宜必要とされる白金族金属微粒子量を散布することを目的とする。【解決手段】  超音波振動器と送風機とを具備し水を霧化させて空間に散布させる超音波液体噴霧器において、平均粒子径が１ｎｍ以上１００ｎｍ以下の白金族金属微粒子コロイド水溶液を水に注入して、霧化された微細水滴を空間に散布させる白金族金属微粒子の散布装置である。【選択図】なし【特許請求の範囲】
【請求項１】
超音波振動器と送風機とを具備し水を霧化させて空間に散布させる超音波液体噴霧器において、平均粒子径が１ｎｍ以上１００ｎｍ以下の白金族金属微粒子に親水性コロイド保護剤を配位した白金族金属コロイド水溶液を水に注入して、白金族金属コロイド含有の霧化された微細水滴を空間に散布させることを特徴とする白金族金属微粒子の散布装置。
【請求項２】
前記超音波液体噴霧器は、水の貯留槽と白金族金属コロイド水溶液貯留槽とを具備し、白金族金属コロイド水溶液貯留槽から水の貯留槽に白金族金属コロイド水溶液が注入機構を経て所定量注入されることを特徴とする請求項１に記載の白金族金属微粒子の散布装置。
【請求項３】
前記注入機構の制御により注入速度又は注入量を調整して、霧化された微細水滴中の白金族金属微粒子量を調整することを特徴とする請求項２に記載の白金族金属微粒子の散布装置
【請求項４】
前記注入機構の制御は、白金族金属コロイド水溶液貯留槽から白金族金属コロイド水溶液が注入された水の貯留槽に含有する白金族金属微粒子が重量比で０．０００００１ｗ％以上０．０２ｗ％以下となるように行うことを特徴とする請求項１乃至請求項３の１つに記載の白金族金属微粒子の散布装置
【請求項５】
請求項１乃至請求項５の１つに記載の白金族金属微粒子の散布装置により生成する白金族金属コロイド含有の霧化された微細水滴をダクト又ホースにより風送し、鼻腔又は口腔を白金族金属コロイド含有の霧化された微細水滴により加湿する鼻腔又は口腔の加湿器。
【発明の詳細な説明】
【発明の詳細な説明】
【技術分野】
【０００１】  本願発明は、消臭や殺菌、抗酸化等の機能性を有する白金族金属微粒子を空間に散布する散布装置に関する。
【背景技術】
【０００２】  パラジウム（Ｐｄ）、ロジウム（Ｒｈ）、ルテニウム（Ｒｕ）、オスミウム（Ｏｓ）、イリジウム（Ｉｒ）及び白金（Ｐｔ）からなる白金族金属は、近年、消臭や殺菌、抗酸化等の機能性が注目されている。とりわけ、白金は、化学プロセスにより白金コロイドを生成したり、白金電極への放電により白金微粒子を生成するなど、ナノサイズの白金微粒子を生成する技術が各方面で確立され、それにともなって、白金微粒子による消臭や殺菌、抗酸化、消炎、一酸化窒素分解、過酸化水素分解、等の機能性を美容分野や医薬分野、生活用品・繊維品など民生品分野に活かす商品が開発されている（参考文献１乃至参考文献６）。
【参考文献１】
繊研ニュース総合面  『制菌加工の新素材開発』記事  平成１８年１２月２７日
【参考文献２】
松下電工技報（Ｖｏｌ．５６  Ｎｏ１）  『白金ナノ粒子含有スチームミストの生体作用』
【参考文献３】
特開２００７−１７６９４４
【参考文献４】
特開２００８−１５６４４０
【参考文献５】
特開２００８−７９７３３
【参考文献６】
ＷＥＢページ（ｈｔｔｐ：／／ｗｗｗ．ｂｉｏｆａｃｅ−ｋｙｏｕｔｏ．ｃｏｍ／）
【０００３】  白金微粒子の機能性に着目し、それを居室や事務所、病室などの空間に散布して利用すること（参考文献６）が取り組まれているが、参考文献６に開示される自動噴霧器は、スプレー缶の中に白金コロイド水溶液が入れられてそれを噴霧する方式であって、スプレー缶の容量の制約が大きく、噴霧時間や噴霧量を大きく確保する場合は、何度もスプレー缶を交換しなくてはならず、またスプレー残量の確認が困難であるという問題があった。
【０００４】  空間に散布する方式としては、参考文献２や参考文献５で、美容機器として顔などに拭き付ける方法や機器が開示されているが、５ｋＶの電圧印加による放電が必要であることや、電極表面の白金が消耗されていくことによる長時間利用性や、白金の消耗、すなわち放出される白金量の使用上での確認が困難であるなどの問題から、居室や事務所、病室などの空間に散布して長時間の利用することや噴霧量を大きくすることが困難であった。
【発明が解決しようとする課題】
【０００５】  本願発明の目的は、上記のような公知の技術や上市された商品では、居室や事務所、病室などの空間に散布して長時間の利用することや噴霧量を大きくすることが困難であるという問題点に鑑み、予め白金微粒子の大きさや含有濃度を工業的に調整することが可能であって、貯留槽の大きさにより連続的な利用や、噴霧量の増大化が容易に可能である白金族金属コロイド水溶液を利用して、空間に白金族金属微粒子を散布することができる装置を提供することを目的とする。
【課題を解決するための手段】
【０００６】  本願発明者らは、上記課題の実現のために鋭意研究を重ねた結果、超音波振動器と送風機とを具備し水を霧化させて空間に散布させる超音波液体噴霧器を利用して、白金コロイドを含有したまま水が霧化することを見出し、また、水への白金族金属コロイド水溶液の注入速度や注入量を調整することで、霧化された微細水滴中の白金族金属微粒子量を調整することができる発明をするにいたった。
【０００７】  すなわち請求項１に記載の、超音波振動器と送風機とを具備し水を霧化させて空間に散布させる超音波液体噴霧器において、平均粒子径が１ｎｍ以上１００ｎｍ以下の白金族金属微粒子に親水性コロイド保護剤を配位した白金族金属コロイド水溶液を水に注入して、白金族金属コロイド含有の霧化された微細水滴を空間に散布させることを特徴とする白金族金属微粒子の散布装置である。
【０００８】  また、請求項２に記載の、超音波液体噴霧器は、水の貯留槽と白金族金属コロイド水溶液貯留槽とを具備し、白金族金属コロイド水溶液貯留槽から水の貯留槽に白金族金属コロイド水溶液が注入機構を経て所定量注入されることを特徴とする請求項１に記載の白金族金属微粒子の散布装置である。
【０００９】  さらに、請求項３に記載の、注入機構の制御により注入速度又は注入量を調整して、霧化された微細水滴中の白金族金属微粒子量を調整することを特徴とする請求項２に記載の白金族金属微粒子の散布装置である。
【００１０】  および、請求項４に記載の、注入機構の制御は、白金族金属コロイド水溶液貯留槽から白金族金属コロイド水溶液が注入された水の貯留槽に含有する白金族金属微粒子が重量比で０．０００００１ｗ％以上０．０２ｗ％以下となるように行うことを特徴とする請求項１乃至請求項３の１つに記載の白金族金属微粒子の散布装置である。
【００１１】  さらに請求項５に記載のとおり、請求項１乃至請求項５の１つに記載の白金族金属微粒子の散布装置により、生成する白金族金属コロイド含有の霧化された微細水滴をダクト又ホースにより風送し、鼻腔又は口腔を白金族金属コロイド含有の霧化された微細水滴により加湿する鼻腔又は口腔の加湿器も提供できる。
【発明を実施するための形態】
【００１２】  本願発明に使用する白金コロイド水溶液は、特許文献１や特許文献２で開示される製造方法等で製造されるアプト株式会社製の白金ナノコロイド溶液や、株式会社バイオフェイス社製のプラチナナノ粒子の水溶液、株式会社ナノイー社より供給されているナノサイズ白金コロイドなど、既に上市されている白金コロイド水溶液を用いることができる。
【特許文献１】  国際公開番号ＷＯ２００５／０２３４６７
【特許文献２】  国際公開番号ＷＯ２００６／１０１１０６
【００１３】  しかし、白金微粒子の大きさによって、超音波振動により霧化される水微粒子中への含有率が低下し、さらには相対的に白金コロイド濃度が漸次高まることにより水に注入後の白金コロイドが凝集・沈殿しやすくなるために、本願請求項１に記載のとおり、平均粒子径が１ｎｍ以上１００ｎｍ以下の白金微粒子がコロイドかされていることが望ましい。そのうえで、本願発明者らの研究では、平均粒子径が１ｎｍ以上１０ｎｍ以下の１桁ナノサイズの白金微粒子の白金コロイド水溶液を利用したときに最も白金微粒子の散布量・散布範囲が良好であった。
【００１４】  上記と同様に、水に注入する白金コロイド水溶液の濃度が高くなることで、白金コロイド水溶液中でも凝集・沈殿が生じるため、本願請求項４に記載のとおり、白金コロイド水溶液に含有する白金微粒子が重量比で０．０００００１ｗ％（＝０．０１ｐｐｍ）以上０．０２ｗ％（＝２００ｐｐｍ）以下であることが望ましい。例えば、アプト株式会社の供給する白金ナノコロイド水溶液は、供給原液が１９５ｍｇＰｔ／１ｋｇ原液であり、概ね０．０１９５ｗ％（＝１９５ｐｐｍ）であるので、本願発明の白金ナノコロイド水溶液としては、これを水で希釈して利用することが有効である。
【００１５】  また、本願請求項１の発明においては、予め白金コロイド水溶液に含有する白金微粒子が重量比で本願請求項４の範囲にある飲料用の白金コロイド水を水に替わって利用することがきる。アプト株式会社より販売されている飲料用の白金コロイド水は１２μｇＰｔ／１ｋｇ程度に調整されているために、その飲料用の白金コロイド水を、超音波噴霧装置に水の替わりに入れて作動させることで、本願発明の白金微粒子の散布が可能となる。さらに、この時は飲料用の白金コロイド水の容器（例えばペットボトル）を、本願での水の貯留槽として利用して、白金コロイド水の容器を散布装置に嵌め込む形式であることも可能である。
【００１６】  本願請求項２に記載される白金コロイド水溶液貯留槽は、予め白金微粒子の平均粒径や、白金コロイド濃度が本願請求項１や請求項４の範囲にある白金コロイド水溶液を貯留するものであり、同貯留槽から水の貯留層に注入する請求項３に記載される注入機構によって注入量が制御されるようになっており、その制御は、白金コロイド水溶液の白金コロイド濃度により水の貯留層の中の白金コロイドの濃度を請求項４の濃度の範囲に調整するようになっている。
【００１７】  したがって、水の貯留槽の貯留容量の水の量で、白金コロイド水溶液の白金コロイド濃度を除したときに、水の貯留層の中の白金コロイドの濃度を請求項４の濃度の範囲となるように、注入機構の注入量や注入速度を設定することが必要である。なお、注入機構に採用する注入方式は注入管やノズルの大きさが適宜設計された自然滴下方式でもよいし、マイクロシリンジポンプによる機械式の圧送による液送方式でもよい。
【００１８】  さらに、白金コロイド水溶液貯留槽は、散布装置より着脱可能なカートリッジ式であってもよい。加えて、別体のアンプル形状又は小瓶形状の容器に白金コロイド水溶液が予め収められたものを、散布装置の注入機構に嵌め込む形式や、注射器形状で別体の白金コロイド水溶液の容器より所定量を吸い上げて、散布装置の注入機構の一部として嵌め込む形式であってもよい。本願での「貯留槽」とは所定容量を収蔵する容器全般を指す。
【００１９】  超音波振動器と送風機とを具備し水を霧化させて空間に散布させる超音波液体噴霧器は、公知の方式或いは上市されている形式のものであってよく、当然に散布の目的に応じた噴霧能力を有する機構を選択することが望ましい。
【００２０】  なお、特許文献３には、ジョードメチル−Ｐ−トリスルフォンやカテキンなどの希釈液を、本願同様に超音波振動噴霧器で噴霧することが開示されているが、金属微粒子をコロイド溶液にして噴霧するという本願発明者らの技術的思想に類することは示唆されておらず、また同特許文献のみでは金属微粒子の大きさや重量比濃度など特定、あるいはそのための濃度調整機構など、金属コロイド溶液であるが故の本願発明をなすことは到底に困難である。
【特許文献３】  特開２００６−１４９９９５
【００２１】  本願発明は、上記の説明に限定されることなく、特許請求の範囲に記載された発明の範囲内で、種々の変更が可能であり、それらも本願発明の範囲内に包含されることはいうまでもない。
【発明の効果】
【００２２】  本願発明の白金族金属微粒子の散布装置によれば、水への白金族金属コロイド水溶液の注入速度や注入量を調整することで、霧化された微細水滴中の白金族金属微粒子量を調整することができ、居室や事務所、病室などの空間に適宜必要とされる白金族金属微粒子量を散布することができる。